(57)【要約】【課題】  従来よりも手間を低減できるデータ送信装置を提供する【解決手段】  ＦＡＸ装置１０は、スキャナ１２によって順次入力される各送信対象データを記憶する記憶部１４と、記憶部１４に記憶される各送信対象データの設定状態を、送信対象データ毎に、送信保留状態または送信許可状態のいずれかに選択する状態設定部２２と、上記送信保留状態に設定中の送信対象データを除き、上記送信許可状態に設定中の各送信対象データを所定の順に各々の送信先へ送信する送信制御部２４と、を含む構成である。【選択図】  図１
2006295841.tif 000002
【特許請求の範囲】
【請求項１】
入力部によって順次入力される各送信対象データを記憶する記憶部と、
上記記憶部に記憶される各送信対象データの設定状態を、送信対象データ毎に、送信保留状態または送信許可状態のいずれかに選択する設定選択手段と、
上記送信保留状態に設定中の送信対象データを除き、上記送信許可状態に設定中の各送信対象データを所定の順に各々の送信先へ送信する送信手段と、
を含むことを特徴とするデータ送信装置。
【請求項２】
請求項１に記載のデータ送信装置において、
上記設定選択手段は、利用者によって入力される設定コマンドに応じて、利用者に指定された送信対象データの上記設定状態を選択することを特徴とするデータ送信装置。
【請求項３】
請求項２に記載のデータ送信装置において、
上記設定選択手段は、上記記憶部に記憶される各送信対象データの初期設定を上記送信許可状態にすることを特徴とするデータ送信装置。
【請求項４】
請求項１ないし３のいずれか１項に記載のデータ送信装置において、
上記所定の順とは、送信許可状態に設定中の各送信対象データについて入力部からの入力順であることを特徴とするデータ送信装置。
【請求項５】
請求項１ないし３のいずれか１項に記載のデータ送信装置において、
上記所定の順とは、送信許可状態に設定中の各送信対象データについて、現在の送信許可状態に設定された時刻が早い順であることを特徴とするデータ送信装置。
【請求項６】
請求項１ないし５のいずれか１項に記載のデータ送信装置において、
画像を表示する表示部と、
送信保留状態に設定中の送信対象データを特定する特定情報と送信保留状態であることを示す設定情報とを対応付けた画像を上記表示部に表示する表示制御手段と、
を含むことを特徴とするデータ送信装置。
【請求項７】
請求項１ないし５のいずれか１項に記載のデータ送信装置において、
画像を表示する表示部と、
送信許可状態に設定中の各送信対象データを特定する特定情報を含んだ画像を上記表示部に表示する表示制御手段と、を含み、
上記表示制御手段は、設定状態が送信許可状態から送信保留状態に切り換えられた送信対象データを検知すると、該送信対象データに対応する上記特定情報を上記画像から除く表示制御を行うことを特徴とするデータ送信装置。
【請求項８】
請求項１ないし５のいずれか１項に記載のデータ送信装置において、
画像を表示する表示部と、
送信保留状態に設定中の各送信対象データを特定する特定情報を含んだ画像を上記表示部に表示する表示制御手段と、を含み、
上記表示制御手段は、設定状態が送信保留状態から送信許可状態に切り換えられた送信対象データを検知すると、該送信対象データに対応する上記特定情報を上記画像から除く表示制御を行うことを特徴とするデータ送信装置。
【請求項９】
請求項１ないし５のいずれか１項に記載のデータ送信装置において、
画像を表示する表示部と、
送信許可状態に設定中の各送信対象データのリストを示す第一リスト画像と、送信保留状態に設定中の各送信対象データのリストを示す第二リスト画像とを上記表示部に表示する表示制御手段と、を含み、
上記表示制御手段は、利用者から入力される表示コマンドに応じて、第一リスト画像の表示と第二リスト画像の表示とを切り換える制御を行うことを特徴とするデータ送信装置。
【請求項１０】
請求項１ないし９のいずれか１項に記載のデータ送信装置において、
上記記憶部に記憶されている各送信対象データのうち設定状態が送信保留状態に選択されてから所定時間を経過している送信対象データを検索する検索手段と、
上記検索手段によって検索された送信対象データについて上記記憶部から消去する消去手段と、
を含むことを特徴とするデータ送信装置。
【請求項１１】
請求項１０に記載のデータ送信装置において、
上記検索手段は、利用者によって入力される時間調整コマンドに応じて上記所定時間を調整することを特徴とするデータ送信装置。
【請求項１２】
請求項１ないし９のいずれか１項に記載のデータ送信装置において、
利用者によって入力される消去コマンドに応じて、利用者によって指定された送信保留状態の送信対象データを記憶部から消去する消去手段を含むことを特徴とするデータ送信装置。
【請求項１３】
請求項１ないし９のいずれか１項に記載のデータ送信装置において、
利用者によって入力される全消去コマンドに応じて送信保留状態の全送信対象データを記憶部から消去する消去手段を含むことを特徴とするデータ送信装置。
【請求項１４】
入力部から順次入力する各送信対象データを記憶する記憶部と、
保留設定コマンドに応じて、上記記憶部に記憶されている各送信対象データのうちの所定の送信対象データを送信保留状態に設定する保留設定手段と、
保留解除コマンドに応じて上記送信保留状態を解除する保留解除手段と、
上記送信保留状態に設定中の送信対象データを除いて、上記記憶部に記憶されている各送信対象データを所定の順に各々の送信先へ送信する送信手段と、
を含むことを特徴とするデータ送信装置。
【請求項１５】
データ送信装置の制御部が実行する手順に、
入力部によって順次入力される各送信対象データを順次記憶部に記憶する工程と、
上記記憶部に記憶される各送信対象データの設定状態を、送信対象データ毎に、送信保留状態または送信許可状態のいずれかに選択する工程と、
上記送信保留状態に設定中の送信対象データを除き、上記送信許可状態に設定中の各送信対象データを所定の順に各々の送信先へ送信する工程と、
を含むことを特徴とするデータ送信装置の制御方法。
【請求項１６】
データ送信装置の制御プログラムであって、コンピュータを請求項１ないし１４のいずれか１項に記載の各手段として機能させるデータ送信装置の制御プログラム。
【請求項１７】
請求項１６に記載のプログラムが記録されたコンピュータ読み取り可能な記録媒体。
【発明の詳細な説明】
【技術分野】
【０００１】
本発明は、入力された送信対象データを外部の送信先装置に送信するデータ送信装置、データ送信装置の制御方法、データ送信装置の制御プログラム、該プログラムを記録した記録媒体に関する。
【背景技術】
【０００２】
従来から、上記データ送信装置としてファクシミリ装置が知られている。このファクシミリ装置では、スキャナ（画像読取装置）によって入力した画像データは、一旦、メモリ（送信待ち行列）にエントリされる。そして、該画像データより前にメモリにエントリされた全ての画像データが送信された後で、該画像データはファクシミリ装置から送信先へ自動的に送信される。
【０００３】
このようなファクシミリ装置において、画像データの入力後かつ送信前に、オペレータが該画像データの送信の保留を望む場合があるが、この場合、該画像データを一旦上記メモリから消去しなければならない。消去しないと、該画像データより前にエントリされた全ての画像データが送信された後で、該画像データは自動的に送信されてしまうからである。
【０００４】
そして、オペレータは、上記保留後、該画像データの送信を望む頃合に、スキャナによって該画像データを再度入力する必要がある。したがって、ファクシミリ装置において、画像データを入力してしまった後に、該画像データの送信を一旦保留し、その後送信を行う場合、トータルで２度の画像データの入力作業が必要となり、手間が生じていた。
【特許文献１】特開平５−４８８６７号公報（〔請求項４〕および段落〔００４０〕）
【発明の開示】
【発明が解決しようとする課題】
【０００５】
上記の特許文献１においては、メモリにエントリされた各画像データについて、送信する順番を変更できるファクシミリ装置が開示されている。このファクシミリ装置においては、送信の保留を望む画像データの送信順序を最後に指定すれば、該画像データの送信をある程度遅らせることは可能である。
【０００６】
しかしながら、メモリにエントリされている他の画像データが送信されると、送信順序を最後に指定した画像データも結局は自動的に送信されるため、送信をある程度遅らせることは可能であっても、完全に保留することはできない。
【０００７】
したがって、特許文献１のファクシミリ装置においても、画像データの入力後かつ送信前に、オペレータが該送信の保留を望む場合、該画像データを一旦上記メモリから消去しなければならず、上記保留後、送信を望む頃合に、再度スキャナによって該画像データを入力しなければならない。
【０００８】
本発明は、一旦入力してしまったデータの送信を保留する場合において、従来よりも手間を低減できるデータ送信装置を提供することを目的とする。
【課題を解決するための手段】
【０００９】
上記目的を達成するために、本発明のデータ送信装置は、入力部によって順次入力される各送信対象データを記憶する記憶部と、上記記憶部に記憶される各送信対象データの設定状態を、送信対象データ毎に、送信保留状態または送信許可状態のいずれかに選択する設定選択手段と、上記送信保留状態に設定中の送信対象データを除き、上記送信許可状態に設定中の各送信対象データを所定の順に各々の送信先へ送信する送信手段と、を含むことを特徴とする。
【００１０】
また、上記の目的を達成するために、本発明のデータ送信装置の制御方法は、データ送信装置の制御部が実行する手順に、入力部によって順次入力される各送信対象データを順次記憶部に記憶する工程と、上記記憶部に記憶される各送信対象データの設定状態を、送信対象データ毎に、送信保留状態または送信許可状態のいずれかに選択する工程と、上記送信保留状態に設定中の送信対象データを除き、上記送信許可状態に設定中の各送信対象データを所定の順に各々の送信先へ送信する工程と、を含むことを特徴とする。
【００１１】
上記構成または手順によれば、入力部から順次入力した各送信対象データは記憶部に記憶され、記憶部に記憶される各送信対象データの設定状態は送信許可状態または送信保留状態のいずれかに選択され、送信保留状態に設定中の送信対象データは送信されず、送信許可状態に設定中に各送信対象データは所定の順に各々の送信先へ送信される。
【００１２】
それゆえ、記憶部に記憶されている各送信対象データのうち、送信許可状態に設定中の各送信対象データは順次自動的に送信されていくものの、送信保留状態に設定中の各送信対象データは送信されずに記憶部に記憶されたままとなる。さらに、記憶部に記憶されている送信保留状態の送信対象データについては、適宜、設定選択手段によって送信許可状態に設定状態を選択（切り換える）ことによって、再度送信対象データを入力部から入力せずに、送信先へ送信することが可能となる。
【００１３】
よって、入力した送信対象データの送信を一旦保留した後で送信を行う場合、該送信対象データを一旦送信保留状態に設定し、その後、送信許可状態に設定すれば、再度入力部から送信対象データを入力するという作業を省略して送信を行うことが可能になり、従来のデータ送信装置よりも手間を低減できるという効果を奏する。
【００１４】
なお、上記「送信対象データ」とは、一つの送信ジョブにおいて送信される全データを意義するものとする。言い換えると、一つの送信対象データは、１回の送信処理で送信先へ送信される全データを意義する。
【００１５】
また、上記「選択」とは、送信保留状態または送信許可状態のいずれかに設定することを意義するが、この「設定」は、（ａ）送信保留状態から送信許可状態に設定を切り換えること，（ｂ）送信許可状態から送信保留状態に設定を切り換えること、（ｃ）送信許可状態または送信保留状態に初期設定すること、の全てを含む概念である。
【００１６】
また、本発明のデータ送信装置において、上記設定選択手段は、利用者によって入力される設定コマンドに応じて、利用者に指定された送信対象データの上記設定状態を選択する構成であってもよい。
【００１７】
上記構成によれば、利用者は、記憶部に記憶される各送信対象データのうち、所望の送信対象データの設定状態を送信保留状態から送信許可状態に切り換え、さらに、送信許可状態から送信保留状態へ切り換えることができる。また、利用者は、記憶部に記憶される各送信対象データについて、データ毎に、送信保留状態または送信許可状態のいずれかに初期設定することも可能である。
【００１８】
それゆえ、利用者は、送信を保留したい送信対象データについて、送信保留状態に設定することによって、送信を保留することができる。さらに、利用者は、この保留を解除して送信したい場合、送信対象データの設定状態を送信保留状態から送信許可状態に切り換えることによって、この送信対象データを入力部から再度入力することなく、送信することが可能となる。
【００１９】
また、本発明のデータ送信装置において、上記設定選択手段は、上記記憶部に記憶される各送信対象データの初期設定を上記送信許可状態にする構成であってもよい。
【００２０】
上記構成によれば、記憶部に記憶される各送信対象データは送信許可状態に初期設定されるため、利用者から上記設定コマンドが入力されない限り、記憶部に記憶される各送信対象データは、送信手段によって順次自動的に送信されることとなる。それゆえ、利用者からすれば、送信を保留したい送信対象データについてのみ、上記設定コマンドを入力することによって送信許可状態から送信保留状態に切り換えればよい。
【００２１】
また、本発明のデータ送信装置において、上記所定の順とは、送信許可状態に設定中の各送信対象データについて、入力部からの入力順であってもよい。
【００２２】
この場合、送信許可状態に設定中の各送信対象データについて、入力部からの入力順に送信順序が決定される。したがって、例えば、送信許可状態の送信対象データａと、送信対象データａよりも後に送信許可状態に設定された送信対象データｂとが現在記憶部に記憶されている場合であっても、送信対象データｂの方が送信対象データａよりも入力部からの入力が早ければ、送信順は、送信対象データｂ、送信対象データａの順となる。
【００２３】
また、本発明のデータ送信装置において、上記所定の順とは、送信許可状態に設定中の各送信対象データについて、現在の送信許可状態に設定された時刻が早い順であってもよい。
【００２４】
この場合、送信許可状態に設定中の各送信対象データについて、現在の送信許可状態に設定された時刻が早い順に送信順序が決定される。したがって、例えば、送信許可状態の送信対象データｃと、送信対象データｃよりも先に入力部から入力された送信許可状態の送信対象データｄとが現在記憶部に記憶されている場合であっても、送信対象データｃの方が送信対象データｄよりも現在の送信許可状態になったのが早ければ、送信順は、送信対象データｃ、送信対象データｄの順となる。
【００２５】
また、本発明のデータ送信装置は、上記構成に加えて、画像を表示する表示部と、送信保留状態に設定中の送信対象データを特定する特定情報と送信保留状態であることを示す設定情報とを対応付けた画像を上記表示部に表示する表示制御手段と、を含む構成であってもよい。
【００２６】
上記構成によれば、送信保留状態に設定中の各送信対象データについて、該送信対象データを特定する特定情報と送信保留状態であることを示す設定情報とを対応付けた画像を上記表示部に表示することとなる。これにより、利用者は、送信保留状態に設定中の送信対象データの有無を確認することができるため、送信保留状態の送信対象データを放置したままにすることを抑制することが可能になる。
【００２７】
さらに、本発明のデータ送信装置は、上記構成に加えて、画像を表示する表示部と、送信許可状態に設定中の各送信対象データを特定する特定情報を含んだ画像を上記表示部に表示する表示制御手段と、を含み、上記表示制御手段は、設定状態が送信許可状態から送信保留状態に切り換えられた送信対象データを検知すると、該送信対象データに対応する上記特定情報を、上記画像から除く表示制御を行う構成であってもよい。
【００２８】
上記構成によれば、送信許可状態に設定中の各送信対象データを特定する特定情報を含んだ画像が表示部に表示されるが、ある送信対象データが送信許可状態から送信保留状態に切り換えられると、この切り換えられた送信対象データを特定する特定情報は、上記画像から削除される。
【００２９】
これにより、送信許可状態に設定中の各送信対象データを特定する各特定情報が表示される画像において、送信保留状態に設定中の送信対象データを特定する特定情報が表示されるということはない。それゆえ、例えば、利用者からすれば、上記画像によって送信許可状態に設定中の各々の送信対象データを確認する場合に、送信保留状態の送信対象データを除外して上記確認を行うことができ、記憶部に記憶されている送信許可状態の送信対象データの確認を行う利用者の便宜に資することができる。
【００３０】
また、本発明のデータ送信装置は、上記構成に加えて、画像を表示する表示部と、送信保留状態に設定中の各送信対象データを特定する特定情報を含んだ画像を上記表示部に表示する表示制御手段と、を含み、上記表示制御手段は、設定状態が送信保留状態から送信許可状態に切り換えられた送信対象データを検知すると、該送信対象データに対応する上記特定情報を、上記画像から除く表示制御を行う構成であってもよい。
【００３１】
上記構成によれば、送信保留状態に設定中の各送信対象データを特定する特定情報を含んだ画像が表示部に表示されるが、ある送信対象データが送信保留状態から送信許可状態に切り換えられると、この切り換えられた送信対象データを特定する特定情報は、上記画像から削除される。
【００３２】
これにより、送信保留状態に設定中の各送信対象データを特定する各特定情報が表示される画像において、送信許可状態に設定中の各送信対象データを特定する特定情報が表示されるということはない。それゆえ、例えば、利用者からすれば、上記画像によって送信保留状態に設定中の各々の送信対象データを確認する場合に、送信許可状態の送信対象データを除外して上記確認を行うことができ、記憶部に記憶されている送信保留状態の送信対象データの確認を行う利用者の便宜に資することができる。
【００３３】
また、本発明のデータ送信装置は、上記構成に加えて、画像を表示する表示部と、送信許可状態に設定中の各送信対象データのリストを示す第一リスト画像と、送信保留状態に設定中の各送信対象データのリストを示す第二リスト画像とを上記表示部に表示する表示制御手段と、を含み、上記表示制御手段は、利用者から入力される表示コマンドに応じて、第一リスト画像の表示と第二リスト画像の表示とを切り換える制御を行うことを特徴とする。
【００３４】
上記構成によれば、送信許可状態に設定中の各送信対象データのリストを示す第一リスト画像と、送信保留状態に設定中の各送信対象データのリストを示す第二リスト画像とを別々に表示することができる。これにより、利用者からすれば、送信許可状態に設定中の各送信対象データと、送信保留状態に設定中の各送信対象データとを整理して確認することができ、利用者の便宜に資することができる。
【００３５】
また、本発明のデータ送信装置は、上記構成に加えて、上記記憶部に記憶されている各送信対象データのうち、設定状態が送信保留状態に選択されてから所定時間を経過している送信対象データを検索する検索手段と、上記検索手段によって検索された送信対象データについて、上記記憶部から消去する消去手段と、を含む構成であってもよい。
【００３６】
上記構成によれば、送信保留状態に設定または切り換えられてから所定時間経過した送信対象データについては、消去手段によって記憶部から自動的に消去されることとなる。それゆえ、送信保留状態に設定されてから放置された送信対象データが蓄積されることによる記憶部の容量低減を抑制することができる。
【００３７】
さらに、本発明のデータ送信装置において、上記検索手段は、利用者によって入力される時間調整コマンドに応じて、上記所定時間を調整する構成であってもよい。
【００３８】
これにより、利用者は、送信保留状態に設定されている送信対象データが記憶部から消去されるまでに要する時間を適宜変更することが可能となる。
【００３９】
また、本発明のデータ送信装置は、上記構成に加え、利用者によって入力される消去コマンドに応じて、利用者によって指定された送信保留状態の送信対象データを記憶部から消去する消去手段を含む構成であってもよい。
【００４０】
それゆえ、過誤により送信対象データをデータ送信装置へ入力してしまった場合であっても、一旦、該送信対象データを送信保留状態にし、さらに上記消去コマンドを入力することによって該送信対象データを記憶部から消去することができる。
【００４１】
さらに、本発明のデータ送信装置は、上記構成に加え、利用者によって入力される全消去コマンドに応じて、送信保留状態の全送信対象データを記憶部から消去する消去手段を含む構成であってもよい。
【００４２】
それゆえ、送信保留状態にされたまま放置されている送信対象データが記憶部に蓄積されてきた場合、一括してこれを削除できる。
【００４３】
また、以上の目的を達成するために、本発明のデータ送信装置は、入力部から順次入力する各送信対象データを記憶する記憶部と、保留設定コマンドに応じて、上記記憶部に記憶されている各送信対象データのうちの所定の送信対象データを送信保留状態に設定する保留設定手段と、保留解除コマンドに応じて上記送信保留状態を解除する保留解除手段と、上記送信保留状態に設定中の送信対象データを除いて、上記記憶部に記憶されている各送信対象データを所定の順に各々の送信先へ送信する送信手段と、を含むことを特徴とする。
【００４４】
上記構成によれば、上記保留設定コマンドによって、入力部から順次入力して記憶部に記憶されている各送信対象データのうち、所定の送信対象データが送信保留状態に設定される。そして、送信保留状態に設定されていない各送信対象データは順次自動的に送信されていくものの、送信保留状態に設定中の送信対象データは送信されずに記憶部に記憶されたままとなる。さらに、記憶部に記憶されている送信保留状態の送信対象データについては、上記保留解除コマンドによって、送信保留状態が解除されるため、送信されるようになる。
【００４５】
よって、上記データ送信装置において、入力した送信対象データの送信を一旦保留した後で送信を行う場合、保留設定コマンドによって該送信対象データを一旦送信保留状態に設定し、その後、保留解除コマンドによって送信保留状態を解除すれば、該送信対象データの入力作業は、トータルで一度で済むため、従来のデータ送信装置よりも手間を低減できる。
【００４６】
なお、上記データ送信装置は、コンピュータによって実現してもよく、この場合には、コンピュータを上記各手段として動作させるプログラム、および、該プログラムを記録したコンピュータ読み取り可能な記録媒体も、本発明の範疇に入る。
【発明の効果】
【００４７】
本発明のデータ送信装置は、入力部によって順次入力される各送信対象データを記憶する記憶部と、上記記憶部に記憶される各送信対象データの設定状態を、送信対象データ毎に、送信保留状態または送信許可状態のいずれかに選択する設定選択手段と、上記送信保留状態に設定中の送信対象データを除き、上記送信許可状態に設定中の各送信対象データを所定の順に各々の送信先へ送信する送信手段と、を含む構成である。
【００４８】
それゆえ、入力した送信対象データの送信を一旦保留した後で送信を行う場合、該送信対象データを一旦送信保留状態に設定し、その後、送信許可状態に設定すれば、再度入力部から送信対象データを入力するという作業を省略して送信を行うことが可能になり、従来のデータ送信装置よりも手間を低減できるという効果を奏する。
【発明を実施するための最良の形態】
【００４９】
〔実施の形態１〕
以下、本発明の一実施形態について図面に基づいて説明する。図１は、本発明の一実施形態であるデータ送信装置としてのファクシミリ装置（以下、「ＦＡＸ装置」と称する）の概略構成を例示したものである。図示のように、ＦＡＸ装置１０は、ＮＣＵ（Network Control Unit）１１、スキャナ１２、制御部１３、記憶部１４を備える構成である。
【００５０】
ＮＣＵ１１は、電話回線と制御部１３との接続制御を行うものである。具体的に、ＮＣＵ１１は、ＦＡＸ装置１０を通信状態へ移行させる場合、制御部１３と電話回線とを接続する制御を行う。
【００５１】
スキャナ（入力部）１２は、送信対象となる原稿を読み取ることによって、画像データとしての送信対象データを制御部１３へ入力する画像読み取り手段である。なお、本実施形態において、送信対象データとは、一つの送信ジョブにおいて送信される全画像データを意義するものとする。言い換えると、一つの送信対象データは、１回の送信処理で送信先へ送信される全画像データを意義する。例えば、１０枚の原稿を１回の送信処理で送信する場合、該１０枚の原稿から読み取られた全画像データが一つの送信対象データを構成することとなる。
【００５２】
制御部１３は、ＦＡＸ装置１０を統括的に制御するコンピュータである。記憶部１４は、送信対象データを記憶するメモリ領域を含む記憶装置である。
【００５３】
以上の構成において、制御部１３は、スキャナ１２から順次入力される各送信対象データを記憶部１４に記録する機能を有している。また、制御部１３は、記憶部１４に記録されている各送信対象データの設定状態を、送信対象データ毎に、送信保留状態または送信許可状態のいずれかの状態に選択する設定選択手段としての機能を有している。さらに、制御部１３は、上記送信保留状態に設定中の送信対象データを除き、上記送信許可状態に設定中の各送信対象データを所定の順にＮＣＵ１１を介して各々の送信先へ送信する送信手段としての機能を有している。
【００５４】
このようなＦＡＸ装置１０によれば、記憶部１４に記憶されている各送信対象データのうち、送信許可状態に設定中の各送信対象データは順次自動的に送信されていくものの、送信保留状態に設定中の送信対象データは送信されずに記憶部１４に記憶されたままとなる。そして、記憶部１４に記憶されている送信保留状態の送信対象データについては、適宜、制御部１３によって送信許可状態に設定が選択されることによって、送信先へ送信することが可能となる。
【００５５】
よって、入力した送信対象データの送信を一旦保留した後で送信を行う場合、該送信対象データの設定状態を送信保留状態にし、その後、送信許可状態に設定を切り換えれば、再度入力部から送信対象データを入力するという作業を省略して送信を行うことが可能になり、従来のデータ送信装置よりも手間を低減できるという効果を奏する。
【００５６】
なお、「送信保留状態」とは、送信対象データが記憶部１４に記憶されつつ制御部１３による送信が禁止されている状態を意義し、「送信許可状態」とは、送信対象データが記憶部１４に記憶されつつ制御部１３による送信が許可されており、該データの送信順がまわってくると制御部１３によって送信される状態を意義するものである。
【００５７】
〔実施の形態２〕
実施の形態２においては、実施の形態１にて説明したＦＡＸ装置１０の具体例について説明する。
【００５８】
図１に示すように、ＦＡＸ装置１０は、上述したＮＣＵ１１、スキャナ１２、制御部１３、記憶部１４の他、操作部１５、表示部１６を有する構成である。
【００５９】
操作部１５は、ＦＡＸ装置１０の利用者が、ＦＡＸ送信の際に必要な宛先情報（送信先のＦＡＸ番号を示したコード）や、ＦＡＸ装置１０を制御するための各種コマンドを制御部１３に入力するための入力インターフェースである。
【００６０】
表示部１６は、ＬＣＤ（液晶表示素子）やＣＲＴ（陰極線管）などによって構成される表示デバイスである。この表示部１６は、制御部１３から受信した表示データに基づいて、文字や画像などの各種の情報を表示出力するものである。なお、表示部１６をタッチパネル型ディスプレイで構成し、表示部１６に操作部１５の機能を含ませる構成であってもよい。
【００６１】
また、本実施形態では、制御部１３は、送信データ記録処理部２０、管理情報記録処理部２１、状態設定部２２、表示制御部２３、送信制御部２４を含み、記憶部１４は、送信データメモリ３０、管理テーブル３１を含む構成である。
【００６２】
送信データ記録処理部２０は、スキャナ１２が送信対象データを制御部１３へ入力すると、この送信対象データを送信データメモリ３０に記録する処理を行うブロックである。なお、送信データ記録処理部２０は、送信対象データの識別のための識別番号を示した識別番号情報を送信対象データに付加して、該送信対象データを送信データメモリ３０に記録し、また、識別番号情報を管理情報記録処理部２１へ送信する。
【００６３】
管理情報記録処理部２１は、送信データメモリ３０に記録された送信対象データを管理するための管理情報を管理テーブル３１に記録するブロックである。なお、管理情報とは、送信対象データ毎に与えられる情報であって、送信対象データの識別番号情報と該送信対象データに対応する宛先情報と、該送信対象データの入力時刻情報（スキャナによって読み取られた時刻を示す情報）とが対応付けられている情報を意義する。
【００６４】
具体的に、管理情報記録処理部２１は、送信データ記録処理部２０から上記識別番号情報を取得すると、取得した識別番号情報と、取得した識別番号情報に対応する送信対象データの入力時刻情報と、取得した識別番号情報に対応する送信対象データの宛先情報とを対応付け、対応付けた各情報の組み合わせを該送信対象データの管理情報として管理テーブル３１に記録する。なお、管理情報記録処理部２１は、送信データ記録処理部２０から上記入力時刻情報を検出し、操作部１５から上記宛先情報を取得する。
【００６５】
つまり、管理テーブル３１には、送信対象データ毎に管理情報が記録されていることになる。ここで、管理テーブル３１に記録されている管理情報の内容を図２に例示する。
【００６６】
図２に示すように、管理テーブル３１においては、行毎に、一つの送信対象データの識別番号情報と、該送信対象データの宛先情報と、該送信対象データの入力時刻情報とを対応付けた管理情報が記録されている。
【００６７】
例えば、識別番号「１」が記録されている行に着目すると、識別番号「１」と宛先情報「０７７−７７７−７７７７」と入力時刻情報「１０：２７」とが記録されている。つまり、識別番号データ「１」に対応する送信対象データの管理情報は、識別番号データ「１」と宛先情報「０７７−７７７−７７７７」と入力時刻情報「１０：２７」とから構成される。
【００６８】
状態設定部（設定選択手段）２２は、送信データメモリ３０に記録されている各送信対象データの設定状態を、送信対象データ毎に、送信許可状態または送信保留状態のいずれかの状態に選択する処理を行うブロックである。つまり、状態設定部２２は、各送信対象データの設定状態を、送信対象データ毎に、送信許可状態または送信保留状態のいずれかに設定するブロックである。
【００６９】
具体的に、状態設定部２２は、図２に示すように、管理テーブル３１に記録されている各々の管理情報に対して、「送信許可」または「送信保留」を示した状態フラグを付加記録することによって、各々の管理情報に対応する送信対象データを送信許可状態または送信保留状態に設定することになる。
【００７０】
例えば、図２に示すように、識別番号「１」には、「送信許可」の状態フラグが対応付けられ、識別番号「３」には、「送信保留」の状態フラグが対応付けられている。これは、識別番号「１」の送信対象データは送信許可状態に設定され、識別番号「３」の送信対象データは送信保留状態に設定されていることを意味する。
【００７１】
なお、状態設定部２２が、どのような場合に送信対象データを送信許可状態に設定し、また、どのような場合に送信対象データを送信保留状態に設定するかについては、後に詳細に説明する。
【００７２】
表示制御部（表示制御手段）２３は、管理テーブル３１の内容を読み込み、管理テーブル３１に記録されている管理情報を画像として表示部１６上に表示する制御を行うブロックである。つまり、表示部１６においては、図２に示すような画像が表示されることになる。
【００７３】
送信制御部（送信手段）２４は、ＮＣＵ１１を介して、送信データメモリ３０に記憶されている送信許可状態に設定中の各送信対象データを、スキャナ１２から入力された順に各々の送信先へ送信するブロックである。つまり、送信データメモリ３０に記憶されている送信保留状態に設定中の送信対象データは送信されない。
【００７４】
具体的に、送信制御部２４は、管理テーブル３１を参照して、入力時刻が最も早く、かつ、送信許可状態に設定中の送信対象データの識別番号情報および宛先情報を検索する。そして、送信制御部２４は、検索した識別番号情報に対応する送信対象データを送信データメモリ３０から読み出し、読み出した送信対象データを、検索した宛先情報に基づいて、送信先へ送信する。
【００７５】
なお、送信された送信対象データは送信データメモリ３０から消去され、さらに、該送信対象データに対応する管理情報も管理テーブル３１から消去される。
【００７６】
つぎに、状態設定部２２が、どのような場合に送信対象データを送信許可状態に設定し、また、どのような場合に送信対象データを送信保留状態に設定するかについて、詳細に説明する。
【００７７】
まず、状態設定部２２は、送信データメモリ３０に新たに記録される送信対象データについて、初期設定状態を送信許可状態とする。つまり、状態設定部２２は、管理テーブル３１に新たな管理情報が書き込まれると、該管理情報には「送信許可」の状態フラグを付加記録する。
【００７８】
また、状態設定部２２は、操作部１５を介して入力される利用者からの設定コマンドに応じて、利用者に指定された送信対象データの設定を切り換える処理を行う。具体的に、状態設定部２２は、操作部１５から入力される保留設定コマンドに応じて、利用者が指定する送信対象データに対応する管理情報の状態フラグを「送信許可」から「送信保留」に切り換え、また、操作部１５から入力される送信許可設定コマンドに応じて、利用者が指定する送信対象データに対応する管理情報の状態フラグを「送信保留」から「送信許可」に切り換える処理を行う。
【００７９】
なお、利用者が、送信対象データを指定する手段としては、様々な手段が考えられるが、例えば、画像上のカーソル移動による指定がある。具体的に説明すると、表示部１６に表示されている各管理情報を示す画像（例えば、図２）において、利用者は、操作部１５を介して、画像上のカーソル（不図示）をスクロールさせ、該カーソルによって、所望の送信対象データに対応する管理情報が含まれている横行を指定することによって、所望の送信対象データを指定できる。そして、利用者は、この指定後、操作部１５を介して、上記の各設定コマンドを入力することによって、指定した送信対象データの設定状態を変更する処理を行う。
【００８０】
以上示した本実施形態のＦＡＸ装置１０によれば、利用者は、送信データメモリ３０に記憶されている送信対象データのうち、所望の送信対象データについて、送信保留状態から送信許可状態に切り換え、また、送信許可状態から送信保留状態へ切り換えることができる。
【００８１】
それゆえ、利用者は、送信を保留したい送信対象データについて、送信保留状態に設定することによって、送信を保留することができる。さらに、利用者は、この保留を解除して送信したい場合、送信対象データの設定状態を送信保留状態から送信許可状態に切り換えることによって、この送信対象データをスキャナ１２から再度入力することなく、送信することが可能となる。
【００８２】
また、以上示した本実施形態のＦＡＸ装置１０によれば、送信データメモリ３０に記憶される各送信対象データの初期設定状態は送信許可状態であるため、上記設定コマンドが操作部１５から入力されない限り、各送信対象データは、順次自動的に送信されることとなる。それゆえ、利用者からすれば、送信を保留したい送信対象データについてのみ、上記設定コマンドによって送信許可状態から送信保留状態に切り換えればよい。
【００８３】
さらに、以上示した本実施形態のＦＡＸ装置１０の送信制御部２４は、送信許可状態に設定中の各送信対象データを、スキャナ１２から入力された順に送信先装置へ送信している。したがって、例えば、送信許可状態の送信対象データａと、送信対象データａよりも後に送信許可状態に設定された送信対象データｂとが現在送信データメモリ３０に記憶されている場合であっても、送信対象データｂの方が送信対象データａよりもスキャナ１２からの入力が早ければ、送信順は、送信対象データｂ、送信対象データａの順となる。
【００８４】
また、以上の構成において、表示制御部２３は、管理テーブル３１に記憶されている各管理情報（例えば、図２）を示した画像を表示部１６に表示している。それゆえ、利用者からすれば、上記画像を基に、送信データメモリ３０に記憶されている各送信対象データについて、どのデータが送信保留状態に設定され、また、どのデータが送信許可状態に設定されているかを知ることが可能となる。
【００８５】
また、表示制御部２３が表示部１６に表示する管理情報の内容には、送信データメモリ３０に記憶されている送信対象データを利用者が特定し得る宛先情報や入力時刻情報が含まれている。つまり、表示制御部２３は、送信保留状態の送信対象データについて、該送信対象データを特定する特定情報と、該送信対象データの設定状態を示す情報とを対応付けた画像を表示部１６に表示していることになる。これにより、利用者は、送信保留状態にある送信対象データの有無を確認することができるため、送信保留状態の送信対象データが放置されることを抑制できる。
【００８６】
また、以上の構成において、送信制御部２４は、送信許可状態の各送信対象データについて、スキャナ１２から入力された順に送信しているが、現在の送信許可状態が設定された時刻が早い順に送信先へ送信するように制御してもよい。但し、この場合、各送信対象データに対応する管理情報に、送信許可状態に設定された時刻を示す許可状態設定時刻情報を含ませ、送信許可状態に設定する毎に、該許可状態設定時刻情報を更新する必要がある。そして、送信制御部２４は、送信許可状態の送信対象データの管理情報に含まれる許可状態設定時刻情報を参照して、送信順を決定することとなる。
【００８７】
なお、以上の構成において、送信データメモリ３０に記憶されている各送信対象データの初期設定状態は、送信許可状態ではなく送信保留状態であってもよい。
【００８８】
また、以上の構成において、状態設定部２２は、利用者によって入力される保留設定コマンドに応じて、送信対象データの設定状態を送信許可状態から送信保留状態へ切り換え、さらに、利用者によって入力される送信許可設定コマンドに応じて、送信保留状態から送信許可状態へと切り換える機能を有している。言い換えると、状態設定部２２は、利用者によって入力される保留設定コマンドに応じて、送信対象データを送信保留状態に設定する保留設定手段としての機能を有し、また、送信許可設定コマンド（保留解除コマンド）に応じて、送信対象データの送信保留状態を解除して送信許可状態に設定する保留解除手段としての機能を有する、とも言える。
【００８９】
なお、以上の構成において、送信対象データの設定状態として「送信許可状態」と「送信保留状態」の２つの状態が用意されているが、上記「送信許可状態」は特に用意されている必要はなく、無設定の状態を「送信許可状態」としてもよい。この場合の構成例の概略を以下説明する。まず、ＦＡＸ装置１０は、スキャナ１２から入力された送信対象データを無設定で記憶部１４に記憶する。そして、状態設定部（保留設定手段）２２は、利用者が入力する保留設定コマンドに応じて、利用者が指定する送信対象データのみについて「送信保留状態」に設定する。さらに、送信制御部２４は、「送信保留状態」の送信対象データを除いて、記憶部１４に記憶されている無設定状態の送信対象データを順次送信する。さらに、状態設定部（保留解除手段）２２は、利用者が入力する保留解除コマンドに応じて、「送信保留状態」に設定された送信対象データの送信保留状態を解除する。
【００９０】
このように構成しても、所望の送信対象データを送信保留状態に設定することによって、該送信対象データを記憶部１４に記憶させつつ該送信対象データの送信を禁止することができ、また、送信保留状態を解除することによって、該送信対象データを送信することができる。よって、一旦入力部から入力した所定の送信対象データの送信を保留した後で送信を行う場合であっても、該所定の送信対象データの入力作業は、トータルで一度で済むため、従来のデータ送信装置よりも手間を低減できる。
【００９１】
なお、本実施形態の構成において、「入力時刻情報」とは、スキャナ１２によって送信対象データは読み取られた時刻を示す情報であるが、この時刻としては、スキャナ１２がスキャニングしている間のいずれかの時刻でもよいし、または、読み取りをスタートさせるスタートボタンが押された時刻でもよい。
【００９２】
〔実施の形態３〕
実施の形態３においては、実施の形態２にて説明したＦＡＸ装置１０の変形例について説明する。
【００９３】
図３に示すように、本実施形態のＦＡＸ装置１０の制御部１３は、検索部４０、消去部４１を含む構成である。なお、説明の便宜上、図示しないが、図３のＦＡＸ装置１０においても、図１のＦＡＸ装置１０と同様、ＮＣＵ１１、スキャナ１２、表示部１６が備えられており、制御部１３において、送信データ記録処理部２０、管理情報記録処理部２１、状態設定部２２、表示制御部２３、送信制御部２４が備えられているものとする。
【００９４】
検索部（検索手段）４０は、送信データメモリ３０に記憶されている各送信対象データのうち、送信保留状態に設定されてから所定時間を経過している送信対象データを検索するブロックである。具体的に、検索部４０は、管理テーブル３１に記憶されている各管理情報にアクセスし、各管理情報のうち、「送信保留」の状態フラグが記録されてから所定時間経過している管理情報を検索することによって、送信保留状態に設定されてから所定時間を経過している送信対象データを検索している。
【００９５】
なお、本実施形態において、上記管理情報には、「送信保留」の状態フラグと共に、送信保留状態に設定された時刻（「送信保留」の状態フラグが付加記録された時刻）を示す保留設定時刻情報も付加記録されていることとする。また、この保留設定時刻情報は状態設定部２２によって管理情報に付加記録される。そして、検索部４０は、この保留設定時刻情報と現在時刻とに基づいて、上記所定時間の経過している管理情報を検索することができる。
【００９６】
また、検索部４０は、「送信保留」の状態フラグが記録されてから所定時間経過している管理情報を検索すると、検索した管理情報に含まれる上記識別番号情報を消去部４１へ送信する。
【００９７】
消去部（消去手段）４１は、上記識別番号情報を受け取ると、この識別番号情報に対応する送信対象データを送信データメモリ３０から消去し、この識別番号情報に対応する管理情報を管理テーブル３１から消去する処理を行うブロックである。言い換えると、消去部４１は、検索部４０によって検索された送信対象データを送信データメモリ３０から消去していることとなる。
【００９８】
以上の構成によれば、送信保留状態に設定されてから所定時間経過した送信対象データについては、消去部４１によって送信データメモリ３０から自動的に消去されることとなる。それゆえ、送信保留状態に設定されてから放置された送信対象データが蓄積されることによる送信データメモリ３０の容量低減を抑制することができる。
【００９９】
また、以上の構成において、検索部４０は、各管理情報のうち、「送信保留」の状態フラグが記録されてから所定時間経過している管理情報を検索する処理を行っているが、利用者が操作部１５を介して時間調整コマンドを入力すると、検索部４０は、入力された時間調整コマンドに応じて、上記所定時間を調整する処理を行うように設定されていてもよい。これにより、利用者は、送信保留状態に設定された送信対象データが送信データメモリ３０から消去されるまでに要する時間を適宜変更することが可能となる。
【０１００】
また、以上の構成において、消去部４１は、利用者が操作部１５を介して消去コマンドを入力すると、この消去コマンドに応じて、利用者によって指定された送信保留状態の送信対象データを送信データメモリ３０から消去する処理を行うように設定されていてもよい。なお、送信保留状態の送信対象データの指定は、実施の形態２にて説明したカーソルを用いて行うことができる。
【０１０１】
これにより、利用者は、消去コマンドを入力することによって、所望の送信保留状態の送信対象データを記憶部１４から消去することができる。それゆえ、過誤により送信対象データをスキャナ１２から入力してしまった場合であっても、まず、該送信対象データを送信保留状態に設定し、さらに上記消去コマンドを入力することによって該送信対象データを送信データメモリ３０から消去することができる。
【０１０２】
また、以上の構成において、消去部４１は、利用者が操作部１５を介して全消去コマンドを入力すると、この全消去コマンドに応じて、送信保留状態に設定中の全送信対象データを送信データメモリ３０から消去する処理を行うように設定されていてもよい。それゆえ、送信保留状態にされたまま放置されている送信対象データが送信データメモリ３０に蓄積されてきた場合、一括してこれを削除できる。
【０１０３】
〔実施例〕
つぎに、以上説明した各実施形態のＦＡＸ装置の使用態様を示した実施例を説明する。まず、本実施例のＦＡＸ装置１０において、表示部１６に表示される画像の一例について、図４〜図８に基づいて説明する。
【０１０４】
図４〜図８に示すように、表示部１６には、複数の送信対象データの各々について、「宛先」、「セット時刻」、「状況」から構成される管理情報が表示されている。
【０１０５】
ここで、宛先は、送信対象データの宛先情報に対応し、セット時刻は、送信対象データが送信許可状態に設定された時刻を示す許可状態設定時刻情報（実施の形態２参照）に対応する。
【０１０６】
また、図４〜図８において、「状況」とは、送信対象データの現在の設定状態を示した設定情報である。具体的に、「状況」が「待機中」と表示されている送信対象データは、上記送信許可状態（送信待ち状態）であることを示したものであり、「状況」が「保留中」と表示されている送信対象データは、上記送信保留状態であることを示したものである。なお、本実施例では、「状況」が「通信中」と表示されている送信対象データは、現在送信処理が行われていることを示している。
【０１０７】
例えば、図４において、宛先が「０３３−３３３−３３３３」の送信対象データは、セット時刻が「１０：２９」で、送信許可状態（待機中）である。これは、（ａ）該送信対象データが、１０：２９に、スキャナ１２から入力して、送信許可状態に初期設定された、または、（ｂ）該送信対象データが、１０：２９よりも前にスキャナ１２から入力して、送信許可状態に初期設定されたが、その後送信保留状態に移行し、さらにその後、１０：２９に送信許可状態へ移行した、ことを示したものである。
【０１０８】
また、図６、図８に示すように、保留状態に設定中の送信対象データに対応する管理情報には、「保留時刻」が含まれている。この「保留時刻」は、送信保留状態に設定された時刻を示す保留設定時刻情報（実施の形態３参照）に対応する。
【０１０９】
例えば、図６において、宛先が「０６６−６６６−６６６６」の送信対象データは、セット時刻が「８：３０」、保留時刻が「８：３４」、送信保留状態である。これは、該送信対象データが、８：３０に、スキャナ１２から入力され、送信許可状態に初期設定され、８：３４に送信保留状態に移行したことを示したものである。
【０１１０】
また、本実施例においては、送信許可状態にある送信対象データの管理情報と、送信保留状態にある送信対象データの管理情報とを別々の画像で表示することとしている。具体的には、図４、図５、図８に示す画像は、送信許可状態（送信待ち状態）にある全送信対象データの各管理情報のリストを示した画像である送信待リストであり、図６、図７に示す画像は、送信保留状態にある全送信対象データの各管理情報のリストを示した画像である保留リストである。
【０１１１】
但し、図１３に示すように、送信許可状態にある送信対象データの管理情報と、送信保留状態にある送信対象データの管理情報とを混在させたリストを単一の画像で表示する形態であってもよい。
【０１１２】
さらに、本実施例のＦＡＸ装置１０において、制御部１３は、送信許可状態にある各送信対象データについて、セット時刻が早いものの順に送信順を決定する。つまり、図８に示す状態おいては、宛先が「０７７−７７７−７７７７」の送信対象データ、宛先が「０３３−３３３−３３３３」の送信対象データ、宛先が「０９９−９９９−９９９９」の送信対象データの順に送信順が決定される。
【０１１３】
つぎに、本実施例のＦＡＸ装置１０における処理の流れをフローチャートに基づいて説明する。
【０１１４】
（送信対象データの入力・記憶処理）
以下では、図９のフローチャートに基づいて、送信対象データの入力・記憶処理を説明する。
【０１１５】
まず、利用者は、ＦＡＸ装置１０において、スキャナ１２に原稿をセットし、スキャナ１２のスタートボタンを押す。ここで、スキャナ１２は、スタートボタンが押されたことを検知すると（Ｓ１１においてＹＥＳ）、原稿を読み取ることによって送信対象データを制御部１３へ入力する（Ｓ１２）。つぎに、制御部１３は、入力した送信対象データを記憶部１４に書き込む（Ｓ１３）。
【０１１６】
さらに、制御部１３は、入力した送信対象データの管理情報を記憶部１４に書き込む（Ｓ１４）。具体的に、制御部１３は、該送信対象データについて、該送信対象データの宛先と、「送信許可状態」の状態フラグと、セット時刻とを管理情報として記憶部１４に書き込む。したがって、Ｓ１３において入力された送信対象データは、「送信許可状態」が初期設定される。また、ここで記憶されるセット時刻は、この「送信許可状態」が初期設定された時刻である。
【０１１７】
以上、Ｓ１１〜Ｓ１４の処理を実行することにより、送信対象データの入力・記憶処理が完了する。
【０１１８】
（送信保留状態の設定）
つぎに、利用者が所望の送信対象データを送信保留する場合の処理について、図１０のフローチャートに基づいて説明する。
【０１１９】
まず、利用者は、操作部１５を介して、送信待リストの表示を要求する送信待リスト表示コマンドを制御部１３へ入力する。ここで、制御部１３は、上記表示要求コマンドの入力を検知すると（Ｓ２１においてＹＥＳ）、記憶部１４から、送信許可状態の全送信対象データの管理情報を読み出し、読み出した管理情報に基づいて、図４に示す送信待リストを表示部１６に表示する（Ｓ２２）。
【０１２０】
これにより、表示部１６には、図４に示す送信待リストが表示される。なお、本実施例では、同図において、管理情報αに対応する送信対象データは、セット時刻が「１０：３０」であるが、これは、１０：３０にスキャナ１２から入力されて送信許可状態に初期設定された結果であるものとする。また、管理情報βに対応する送信対象データは、セット時刻が「１０：３１」であるが、これは、１０：３１にスキャナ１２から入力されて送信許可状態に初期設定された結果であるものとする。
【０１２１】
そして、利用者は、上記送信待ちリストに含まれている各管理情報のうち、送信保留にしたい送信対象データに対応する管理情報を指定する。さらに、利用者は、管理情報の指定を終了すると、送信保留状態に設定するための保留設定コマンドを制御部１３へ入力する。
【０１２２】
ここで、本実施例では、表示部１６は、操作部１５としての機能をも有するタッチパネル型のディスプレイであり、上記指定および入力は、表示部１６を介して行われる。具体的に、利用者は、図４において、スクロールキー３００ａを用いてカーソル４００ａを移動させ、該カーソル４００ａによって所望の送信対象データに対応する管理情報を指定する。また、利用者は、保留ボタン２００を押すことによって、保留設定コマンドを制御部１３へ入力する。つまり、保留ボタン２００とは、所望の送信対象データを送信保留状態に設定するためのボタンである。
【０１２３】
ここで、制御部１３は、上記保留設定コマンドの入力を検知すると（Ｓ２３においてＹＥＳ）、現在指定されている管理情報に対応する送信対象データを、送信許可状態（待機中）から送信保留状態（保留中）に変更する（Ｓ２４）。
【０１２４】
なお、図４の送信待リストにおいては、カーソル４００ａによって管理情報αが指定されていることになる。したがって、図４の状態において、利用者が保留ボタン２００を押すと、管理情報αに対応する送信対象データは、送信許可状態から送信保留状態に変更される。
【０１２５】
これにより、管理情報αは、送信待リストから消去され、表示部１６に表示される送信待リストは、図４に示す状態から図５に示す状態へと移行する。
【０１２６】
また、制御部１３は、Ｓ２４において送信保留状態に変更した送信対象データαについて、記憶部１４に記憶されている該送信対象データに対応する管理情報に、送信保留状態に設定した時刻である保留時刻を付加記録する（Ｓ２５）。
【０１２７】
（送信保留状態の解除）
つぎに、一旦送信保留状態にした送信対象データの送信保留状態を解除する処理（つまり、送信保留状態を解除して送信許可状態に設定する処理）について、図１１のフローチャートに基づいて説明する。
【０１２８】
まず、表示部１６には、図５に示す送信待リストが表示されているものとする。ここで、利用者は、保留リストの表示を要求する保留リスト表示コマンドを制御部１３へ入力する。具体的に、利用者は、図５に示す送信待リストにおいて、保留リストボタン５００を押すことにより、上記保留リスト表示コマンドの入力を行うことができる。
【０１２９】
ここで、制御部１３は、上記表示要求コマンドの入力を検知すると（Ｓ３１においてＹＥＳ）、記憶部１４から、送信保留状態の全送信対象データの管理情報を読み出し、読み出した管理情報に基づいて、図６に示す保留リストを表示部１６に表示する（Ｓ３２）。
【０１３０】
これにより、表示部１６には、図６に示す保留リストが表示される。なお、同図においては、Ｓ２４で送信保留状態に設定された送信対象データに対応する管理情報αが表示されている。この管理情報αに注目すると、セット時刻が「１０：３０」で保留時刻が「１０：３２」となっている。これは、管理情報αに対応する送信対象データが、１０：３０にスキャナ１２から入力されて送信許可状態に初期設定され、その後、「１０：３２」に送信保留状態に設定が変更されたことを意味する。
【０１３１】
そして、利用者は、図６に示す保留リストに含まれている各管理情報のうち、送信保留状態を解除したい送信対象データに対応する管理情報を指定する。さらに、利用者は、管理情報の指定を終了すると、送信保留状態を解除して送信許可状態に設定するための送信許可設定コマンドを制御部１３へ入力する。
【０１３２】
なお、利用者は、図６におけるスクロールキー３００ｂを用いてカーソル４００ｂを移動させ、該カーソル４００ｂによって所望の送信対象データに対応する管理情報を指定する。また、利用者は、図６における解除ボタン６００を押すことによって、送信許可設定コマンドを制御部１３へ入力できる。つまり、解除ボタンとは、送信保留状態を解除して送信許可状態に設定するためのボタンである。
【０１３３】
ここで、制御部１３は、上記送信許可設定コマンドの入力を検知すると（Ｓ３３においてＹＥＳ）、記憶部１４にアクセスし、現在利用者に指定されている管理情報に対応する送信対象データを、送信保留状態（保留中）から送信許可状態（待機中）に変更する（Ｓ３４）。
【０１３４】
なお、図６の保留リストにおいては、カーソル４００ｂによって管理情報αが指定されている。したがって、図６の状態において、利用者が解除ボタン６００を押すと、管理情報αに対応する送信対象データは、送信保留状態から送信許可状態に変更される。
【０１３５】
そして、送信許可状態に変更された送信対象データαの管理情報は、保留リストから消去され、表示部１６に表示される保留リストは、図６に示す画像から図７に示す画像へ移行する。
【０１３６】
さらに、制御部１３は、Ｓ３４において送信許可状態へ変更した送信対象データに対応する管理情報に含まれるセット時刻を、Ｓ３４において送信許可状態に変更した時刻に更新する（Ｓ３５）。
【０１３７】
ここで、利用者が、図７の送信待リストボタン７００を押すと、表示部１６には図８に示す送信待リストが表示される。図８の送信待リストには、Ｓ３４において送信許可状態へ変更された送信対象データに対応する管理情報αが表示されている。
【０１３８】
ここで、図７の保留リストと図８の送信待リストとを比較すると、図７では、管理情報αのセット時刻は「１０：３０」となっているのに、図８では、管理情報αのセット時刻は「１１：００」となっている。
【０１３９】
これは、管理情報αに対応する送信対象データがスキャナ１２から入力してから最初に「送信許可状態」に設定されたのが「１０：３０」であったが、その後、「送信保留状態」に変更し、再度「送信許可状態」に設定された時刻が「１１：００」であるからである。
【０１４０】
また、本実施例では、各送信対象データについて、セット時刻が早いものの順に送信される。したがって、図８に示す状態になった後、ＦＡＸ装置１０を放置しておくと、管理情報αに対応する送信対象データの方が管理情報βに対応する送信対象データよりも先にスキャナ１２から入力したにも拘わらず、管理情報βに対応する送信対象データの方が、管理情報αに対応する送信対象データαよりも先に送信されることとなる。
【０１４１】
（送信保留状態の送信対象データの自動消去処理）
また、ＦＡＸ装置１０では、送信保留状態に設定されてから所定時間経過しても送信許可状態に戻されない送信対象データについては、記憶部１４から自動的に消去されるように設定されている。
【０１４２】
具体的に、ＦＡＸ装置１０の制御部１３は、記憶部１４に記憶されている各送信対象データについて、送信保留状態に設定されてから所定時間経過しているか否かをモニタリングしている。さらに、制御部１３は、送信保留状態に設定されてから所定時間経過した送信対象データを検索した場合、この送信対象データおよびこの送信対象データに対応する管理情報を記憶部１４から消去する。
【０１４３】
また、本実施例のＦＡＸ装置１０では、利用者は上記の所定時間を変更することができる。この変更処理は、図１２に示す時間設定用画像によって行われる。以下、この変更処理について説明する。
【０１４４】
まず、利用者は、操作部１５を介して、時間設定用画像の表示コマンドを制御部１３へ入力する。ここで、制御部１３は、上記表示コマンドの入力を検知すると、図１２に示す時間設定用画像を表示部１６に表示する。同図に示す時間設定用画像には、時間を表示する時間表示窓９００、時間表示窓９００に表示される時間を変更するためのスクロールキー３００ｃ、確定用のＯＫボタン９３０、取り消し用のキャンセルボタン９６０が含まれている。
【０１４５】
ここで、利用者は、スクロールキー３００ｃを押すことによって、時間表示窓９００に表示される時間を調整する。さらに、利用者は、時間表示窓９００に表示されている時間を所望の時間に調整した後、ＯＫボタン９３０を押す。
【０１４６】
制御部１３は、このＯＫボタンが押されたことを検知すると、送信保留状態となった送信対象データを消去するまでに要する上記所定時間を、時間表示窓９００に表示されている時間として確定する。このようにして、上記所定時間は、利用者によって調整されることとなる。
【０１４７】
なお、利用者は、ＯＫボタン９３０を押した後、確定した上記所定時間をキャンセルしたい場合、キャンセルボタン９６０を押すことによって、確定した上記所定時間をキャンセルすることができる。
【０１４８】
（送信保留状態の送信対象データの手動消去処理）
また、ＦＡＸ装置１０では、利用者は、コマンド入力によって、送信保留状態に設定されている送信対象データを消去できる。以下、この消去の手順について説明する。
【０１４９】
まず、表示部１６には、図６に示す保留リストが表示されているものとする。ここで、利用者は、図６に示す保留リストに含まれている各管理情報のうち、消去したい送信対象データに対応する管理情報を指定する。さらに、利用者は、管理情報の指定を終了すると、消去コマンドを制御部１３へ入力する。
【０１５０】
なお、利用者は、図６におけるスクロールキー３００ｂを用いてカーソル４００ｂを移動させ、該カーソル４００ｂによって所望の送信対象データに対応する管理情報を指定する。また、利用者は、図６における削除ボタン８００を押すことによって、上記消去コマンドを制御部１３へ入力することができる。
【０１５１】
ここで、制御部１３は、上記消去コマンドの入力を検知すると、現在利用者に指定されている管理情報と、該管理情報に対応する送信対象データとを記憶部１４から消去する。
【０１５２】
また、ＦＡＸ装置１０では、送信保留状態に設定されている全送信対象データを一括消去することも可能である。送信保留状態に設定されている全送信対象データを一括消去する場合、利用者は、図６における一斉削除ボタン８５０を押せばよい。これにより、制御部１３へ、全消去コマンドが入力され、この全消去コマンドを入力した制御部１３は、送信保留状態に設定されている全送信対象データと、これら送信対象データに対応する各管理情報とを記憶部１４から消去する。
【０１５３】
なお、以上示した実施形態、実施例においては、本発明のデータ送信装置の一例としてＦＡＸ装置を挙げているが、本発明のデータ送信装置はＦＡＸ装置に限定されるものではない。順次入力した各送信対象データを一旦記憶部に記憶し、記憶部に記憶された各送信対象データを所定の順序で各々の送信先へ送信するデータ送信装置であれば、本発明を適用することが可能である。なお、このようなデータ送信装置としては、ＦＡＸ装置の他、例えば、データ送信機能を備えたスキャナ、スキャナと一体に構成されているＭＦＰ（Multi Function Printer）等が考えられる。このようなスキャナやＭＦＰにおいても、スキャナから読み取った各送信対象データを一旦メモリにて保持し、メモリにて保持している各送信対象データを、ＬＡＮ（Local Area Network）を介して、所定の順序（読み取り順）で各々の送信先（サーバ、ホストコンピュータ、端末装置等）へ送信する処理を実現することが可能だからである。
【０１５４】
また、以上示した実施形態、実施例のＦＡＸ装置は、インターネットを介さずに電話回線を介して通信を行うファクシミリーであってもよいし、インターネットを介して通信を行うファクシミリーであってもよい。
【０１５５】
本発明は上述した各実施形態、実施例に限定されるものではなく、請求項に示した範囲で種々の変更が可能であり、上述した各実施形態、実施例において開示された各技術的手段を適宜組み合わせて得られる実施形態についても本発明の技術的範囲に含まれる。
【０１５６】
なお、上記実施形態の制御部１３に含まれる各部は、ＣＰＵ（Central Processing Unit）などの演算手段が、ＲＯＭ（Read Only Memory）やＲＡＭ（Random Access Memory）などの記憶手段に記憶されたプログラムを実行し、キーボードなどの入力手段（操作部１５）、ディスプレイなどの出力手段（表示部１６）、あるいは、インターフェース回路などの通信手段を制御することにより実現される機能ブロックである。
【０１５７】
したがって、これらの手段を有するコンピュータが、上記プログラムを記録した記録媒体を読み取り、当該プログラムを実行するだけで、本実施形態や本実施例の制御部１３の各種機能および各種処理を実現することができる。また、上記プログラムをリムーバブルな記録媒体に記録することにより、任意のコンピュータ上で上記の各種機能および各種処理を実現することができる。
【０１５８】
この記録媒体としては、マイクロコンピュータで処理を行うために図示しないメモリ、例えばＲＯＭのようなものがプログラムメディアであっても良いし、また、図示していないが外部記憶装置としてプログラム読み取り装置が設けられ、そこに記録媒体を挿入することにより読み取り可能なプログラムメディアであっても良い。
【０１５９】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１６０】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１６１】
また、インターネットを含む通信ネットワークを接続可能なシステム構成であれば、通信ネットワークからプログラムをダウンロードするように流動的にプログラムを担持する記録媒体であることが好ましい。
【０１６２】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０１６３】
本発明は、入力した各送信対象データを一旦記憶部に書き込み、該記憶部に書き込まれている各送信対象データを所定の順序で各々の送信先へ送信するデータ送信装置に適用可能であり、このようなデータ送信装置としてはファクシミリ、スキャナ、ＭＦＰ等が挙げられる。
【図面の簡単な説明】
【０１６４】
【図１】本発明の一実施形態に係るＦＡＸ送信装置の構成を示した機能ブロック図である。
【図２】図１に示したＦＡＸ送信装置の管理テーブルに記憶されている内容を示した模式図である。
【図３】本発明の他の実施形態に係るＦＡＸ装置の構成を示した機能ブロック図である。
【図４】本発明の一実施例に係るＦＡＸ装置の表示部に表示される送信待リストを示した模式図である。
【図５】図４に示した送信待リストとは異なる送信待リストを示した模式図である。
【図６】本発明の一実施例に係るＦＡＸ装置の表示部に表示される保留リストを示した模式図である。
【図７】図６に示した送信待リストとは異なる保留リストを示した模式図である。
【図８】図４、図５に示した送信待リストとは異なる送信待リストを示した模式図である。
【図９】本発明の一実施例に係るＦＡＸ装置において、送信対象データの入力・記憶手順を示したフローチャートである。
【図１０】本発明の一実施例に係るＦＡＸ装置において、送信対象データを送信保留状態に設定する手順を示したフローチャートである。
【図１１】本発明の一実施例に係るＦＡＸ装置において、送信対象データを送信保留状態から送信許可状態へ移行させる手順を示したフローチャートである。
【図１２】本発明の一実施例に係るＦＡＸ装置の表示部に表示される時間設定用画像を示した模式図である。
【図１３】本発明の一実施例に係るＦＡＸ装置の表示部に表示される画像であって、送信対象データのリストを示したリスト画像の模式図である。
【符号の説明】
【０１６５】
１０    ＦＡＸ装置(データ送信装置)
１１    ＮＣＵ
１２    スキャナ（入力部）
１３    制御部（制御手段）
１４    記憶部
１５    操作部
１６    表示部
２０    送信データ記録処理部
２１    管理情報記録処理部
２２    状態設定部（設定選択手段、保留設定手段、保留解除手段）
２３    表示制御部（表示制御手段）
２４    送信制御部（送信手段）
３０    送信データメモリ
３１    管理テーブル
４０    検索部（検索手段）
４１    消去部（消去手段）
【図１】
2006295841.tif 000003
【図２】
2006295841.tif 000004
【図３】
2006295841.tif 000005
【図４】
2006295841.tif 000006
【図５】
2006295841.tif 000007
【図６】
2006295841.tif 000008
【図７】
2006295841.tif 000009
【図８】
2006295841.tif 000010
【図９】
2006295841.tif 000011
【図１０】
2006295841.tif 000012
【図１１】
2006295841.tif 000013
【図１２】
2006295841.tif 000014
【図１３】
2006295841.tif 000015